(57)【要約】  競技面（３０）上にマーキングを生成するためのシステムであって、燐光材料を含む競技面（３０）と、前記面（３０）上に第１の組のマーキングを生成するために前記面（３０）に電磁放射線を照射するための表示装置（１２）と、を備えたシステム（１０）。
2020513271.tif 000002
【特許請求の範囲】
【請求項１】
競技面であって、燐光材料を含む競技面。
【請求項２】
前記材料は、所定の波長の放射線を吸収することができ、かつ前記放射線に曝された後に遅延して可視光を放射することができる、
請求項１に記載の競技面。
【請求項３】
前記燐光材料は前記面材料内に設けられている、
請求項１または２に記載の競技面。
【請求項４】
前記面を前記放射線に曝すことにより、前記面は、活動、ゲームまたはスポーツで使用するためのマーキングに対応するマーキングを示す、
請求項１〜３のいずれか一項に記載の競技面。
【請求項５】
前記競技面は複数の燐光材料を含む、
請求項１〜４のいずれか一項に記載の競技面。
【請求項６】
前記競技面は、
第１の露光波長でエネルギーを吸収し、照射後に第１の発光波長で発光することができる第１の燐光材料と、
第２の露光波長でエネルギーを吸収し、照射後に第２の発光波長で発光することができる第２の燐光材料と、を含む、
請求項１〜５のいずれか一項に記載の競技面。
【請求項７】
前記第１の露光波長と前記第２の露光波長とが異なる、
請求項６に記載の競技面。
【請求項８】
前記第１の発光波長と前記第２の発光波長とが異なる、
請求項６または７に記載の競技面。
【請求項９】
競技面上にマーキングを生成するためのシステムであって、
燐光材料を含む競技面と、
前記面上に第１の組のマーキングを生成するために前記面に電磁放射線を照射するための表示装置と、
を備えたシステム。
【請求項１０】
前記表示装置は、第１の活動、ゲームまたはスポーツの特性に対応するパターンに従って、前記競技面上に前記電磁放射線を生成、投影および／または照射するように構成されている、
請求項９に記載のシステム。
【請求項１１】
前記表示装置は、使用中にマーキングが見えることを意図している前記面の領域を、第１の露光波長で露光し、放射線を当て、または照射して、前記第１の組のマーキングを生成するように構成されている、
請求項１０に記載の方法。
【請求項１２】
競技面上にマーキングを生成するための方法であって、
燐光材料を含む競技面を準備することと、
前記面上に第１の組のマーキングを生成するために前記面に電磁放射線を照射することと、
を含む方法。
【請求項１３】
前記面を紫外線（ＵＶ）光、赤外線（ＩＲ）光、レーザ光、または可視光から選択される電磁放射線に曝すことを含む、
請求項１２に記載の方法。
【請求項１４】
第１の活動、ゲームまたはスポーツの特性に対応するパターンに従って前記面上に電子放射線を生成、投影および／または照射することを含む、
請求項１２または請求項１３に記載の方法。
【請求項１５】
使用中にマーキングが見えることを意図している前記面の領域を、第１の露光波長で露光し、放射線を当て、または照射して、前記第１の組のマーキングを生成することを含む、
請求項１４に記載の方法。
【請求項１６】
前記第１の組のマーキングを見えなくするために、前記面上に前記第１の露光波長で電子放射線を生成、投影、および／または照射することを含む、
請求項１２〜１５のいずれか一項に記載の方法。
【請求項１７】
使用中にマーキングが見えるように意図されている前記面の領域を、第２の露光波長で露光し、放射線を当て、または照射して、第２の活動、ゲームまたはスポーツの特徴に応じておよび／またはそれに対応する第２の組のマーキングを生成することを含む、
請求項１２〜１６のいずれか一項に記載の方法。
【発明の詳細な説明】
【技術分野】
【０００１】
本発明は、競技場または競技面、並びに、例えば競技用または競争競技用に使用される競技場での使用には限定されないが、競技面にマーキングを表示または生成するためのシステムおよび方法に関する。
【背景技術】
【０００２】
異なる目的のために同じ面を使用できることが望ましい。これは、娯楽活動、バスケットボール、バレーボール、テニス、フットボール（サッカー）、フットサル、バドミントン、ハンドボール、ネットボール、アメリカンフットボール、ラクロス、ホッケー、スカッシュなどのゲームまたはスポーツに使用される競技場または遊戯領域にも当てはまる。例えば、気温が極端に高い国では、そのような競技場は通常、行われる可能性のあるゲームごとに異なる競技場を提供することが実現困難な室内に配置され得る。加えて、例えば競技面の潜在的な使用機会を最大化し、それ故に費用を最小化し、および／または収益を最大化するために、様々なスポーツ活動に使用できる競技領域を提供することが望ましい場合もあり得る。これは、不動産が貴重であり得る都市、または投資資本が制限され得る地方であるかどうかにかかわらず、屋内環境（例えば、体育館）または屋外環境のいずれにも適用され得る。
【０００３】
これらの理由により、競技面に、面上で提供される異なるゲームに応じた競技場用のマーキングを、例えば異なる色を使用するなどの異なる方法で設けることが知られている。そのようなマーキングが適用または表示され得る典型的な方法は、粘着テープまたは塗料を含む。このことの欠点は、特に、着色だけに基づいてある線を別の線と区別する時間がない場合があり得る高速のゲームにおいては、プレーヤにとって混乱を招くことである。
【０００４】
米国特許出願公開第２００８／０２５４９２０号公報（Ｏｒｅｓｋｙ）は、面全体を一定のエネルギー源に曝すと着色光を発することができる量子ドットを含有するコーティングを使用することにより、選択的にマーキングされた面を開示している。
【０００５】
米国特許出願公開第２０１３／０１２０７１５号公報（上田）は、床面に線像を投影するように設置された複数のプロジェクタを含む線表示システムを開示している。米国特許出願公開第２０１２／００６５００６号公報（Ｖｏｇｔ）は、活動のための領域を画定する線を投影するための光源を有する装置を開示している。
【発明の概要】
【０００６】
本発明の第１の態様によれば、燐光材料を含む競技面が提供される。
【０００７】
材料は、放射線、例えば所定の波長の放射線を吸収し得、また、可視光などの光を遅延させて放射し得る。有利には、材料は、放射線に／により曝された後に、例えば可視光などの光を放射し得る。
【０００８】
燐光材料は、活動、ゲームおよび／またはスポーツが面で行われるのに十分な時間の間、放射線に曝された後に、例えば可視光などの光を放射し得る。材料は、放射線に曝された後、少なくとも１時間、例えば少なくとも２時間、例えば少なくとも３時間…の間、可視光などの光を放射し得る。活動、ゲームまたは試合の全期間中、競技面がマーキングを表示する必要はないが、ゲームの中断間の時間に対応する時間の間、競技面がマーキングを表示すれば十分であり得ることが理解されよう。例えば、活動またはゲームが、複数の競技セクション（ｐｌａｙｉｎｇ  ｓｅｃｔｉｏｎ）を含む場合、そのような２つ（半分）、３つ（３分の１）または４つ（４分の１）の競技セクション、マーキングは、１つまたは複数の間隔の間に面を照射または露光することにより、競技セクションの間の１つまたは複数の間隔の間に再活性化できる。
【０００９】
燐光材料は面材料内に設けられ得、例えば面材料のマトリックス内に、含浸、分散等され得る。
【００１０】
燐光材料は面材料上に設けられ得、例えば面上にコーティングされ得る。
【００１１】
燐光材料は、顔料、染料、または他の燐光粒子を含んでいてもよいし、あるいは顔料、染料、または他の燐光粒子であり得る。例えば、Ｄａｙ−Ｇｌｏ（登録商標）社は、様々な形態の電磁放射線に対して過渡的な反応を示す多数の顔料および染料を販売している。「燐光」および「過渡的」という用語は、本明細書では、例えば所定の波長の放射線などの電磁放射線を吸収することができ、そして例えば可視光のような光を遅延して放射し得る顔料または染料などの光学材料を指すものとして理解されよう。
【００１２】
電磁放射線は、紫外線（ＵＶ）光、赤外線（ＩＲ）光、レーザ光、可視光などを含み得る。
【００１３】
燐光材料は、例えば所与の波長で所与の色を生成し得る可視光などの光を放射し得る。例えば、燐光材料は、電磁放射線に曝された後、緑色、赤色、青色、青緑色、紫色、ピンク色、白色、黄色または橙色のような任意の色を呈し得る。
【００１４】
燐光材料は、例えば、硫酸亜鉛、硫化カルシウム、アルミン酸ストロンチウムのようなアルカリ土類アルミン酸塩、アルミン酸ストロンチウムのようなアルカリ土類酸化アルミン酸塩、アルミン酸ストロンチウムのようなアルカリ土類アルミン酸金属塩、またはそれらの任意の組み合わせを含む顔料のような、任意の既知の燐光材料を含み得る。
【００１５】
有利には、燐光材料の使用により、競技面上のマーキングは、面を電磁放射線に、例えば所定期間の間曝すことによって活性化され得る。面の活性化に必要な時間は、例えば燐光材料の種類、露光／照射後にマーキングを表示／可視化するのに必要な時間、および／または、例えば波長、出力、強度などの照射源の特性、を含む多くの要因に依存し得ることが理解されるであろう。
【００１６】
使用中、面は、例えば活動、ゲームまたはスポーツに適した寸法、形状、および／または場所などの特性に対応するパターンに従って、面の領域を電磁放射線に曝すことによって活性化され得る。したがって、使用中にマーキングが見えるように意図されている面の領域だけが電磁放射線に曝され得る。
【００１７】
マーキングは、例えば線、実線、点線、破線、点（ｄｏｔ）、小領域（ｓｐｏｔ）、ベタ塗り領域（ｓｏｌｉｄ  ａｒｅａｓ）などのコートマーキングに対応し得る。
【００１８】
マーキングは、バスケットボール、バレーボール、テニス、フットボール（サッカー）、フットサル、バドミントン、ハンドボール、ネットボール、アメリカンフットボール、ラクロス、ホッケー、およびスカッシュからなるリストから選択される活動、ゲームまたはスポーツ、若しくはその他の活動、ゲームまたはスポーツにおいて使用するためのマーキングに対応し得る。
【００１９】
競技面は複数の燐光材料を含み得る。
【００２０】
競技面は、第１の露光波長のエネルギーを吸収し得、そして照射後に第１の発光波長で光を放射し得、第１の色を生成し得る第１の燐光材料を含み得る。
【００２１】
競技面は、第２の露光波長のエネルギーを吸収し得、そして照射後に第２の発光波長で光を放射し得、第２の色を生成し得る第２の燐光材料を含み得る。第１の露光波長と第２の露光波長とは異なり得る。第１の発光波長と第２の発光波長とは異なり得る。第１の色と第２の色とは異なり得る。
【００２２】
有利には、複数の燐光材料を提供することにより、例えば第１の活動、ゲームまたはスポーツに適した寸法、形状、および／または場所などの特性に対応するパターンに従って面を第１の露光波長に曝すことにより、第１の組のマーキングが活性化され得る。第１の活動が終了したら、第１の燐光材料がその蓄積エネルギーを解放するまで待つことによって、または第１の組のマーキングを「拭く」ために、ある領域、例えば第１の組のマーキングを包含する領域を第１の露光波長に曝すことによって、第１の組のマーキングを消すこともできるし、および／または第１の組のマーキングを、例えば周囲のまたは隣接する領域に対して見えなくすることもできる。面は、第２の組のマーキングを活性化するために、例えば第２の活動、ゲームまたはスポーツに適した寸法、形状、および／または場所などの特性に対応するパターンに従って第２の露光波長に曝され得る。
【００２３】
面は多数の燐光材料を設けられ得る。各燐光材料は、関連する活動、ゲームまたはスポーツのための一組のマーキングを活性化するために用いられ得る。一実施形態では、面上で使用されることが意図されている各活動、ゲームまたはスポーツについて、燐光材料、および関連する露光パターンを提供し得る。
【００２４】
面は屋内に設けられ得る。
【００２５】
面は屋外に設けられ得る。
【００２６】
本発明の第２の態様によれば、競技面上にマーキングを生成するためのシステムであって、
燐光材料を含む競技面と、
面上に第１の組のマーキングを生成するために面に電磁放射線を照射するための表示装置と、を備えたシステムが提供される。
【００２７】
競技面は、本発明の第１の態様に係る競技面であり得る。
【００２８】
表示装置はプロジェクタを含むことができ、またはプロジェクタとなり得る。表示装置は、紫外線（ＵＶ）光、赤外線（ＩＲ）光、レーザ光、可視光などを含み得る電磁放射線に／によって面を露出させ得る。
【００２９】
表示装置は、活動、ゲームまたはスポーツに適した寸法、形状、および／または場所などの特性に対応するパターンに従って、面上に電磁放射線を生成、投影および／または照射するように構成され得る。したがって、表示装置は、例えば第１の組のマーキングを生成するために、使用中にマーキングが見えることが意図されている面の領域を、第１の露光波長で露光し、放射線を当て、または照射するように構成され得る。
【００３０】
表示装置は、第１の組のマーキングを「拭く」ため、および／または第１の組のマーキングを、例えば周囲のまたは隣接する領域に対して見えないようにするために、面、例えば第１の組のマーキングを含む領域上に、例えば第１の露光波長で電磁放射線を生成、投射および／または照射し得る。
【００３１】
表示装置は、例えば第２の活動、ゲームまたはスポーツに適した寸法、形状、および／または場所などの特徴に応じて第２の組のマーキングを生成するために、使用中にマーキングが見えるように意図されている面の領域を、第２の露光波長で露光し、放射線を当て、または照射するように構成され得る。
【００３２】
本発明の第１の態様に関して上述した数々の特徴は、本発明の第２の態様によるシステムにも等しく適用され得、したがって、それらは単に簡潔さの理由により繰り返さない。
【００３３】
本発明の第３の態様によれば、競技面上にマーキングを生成するための方法であって、
燐光材料を含む競技面を準備することと、
面上に第１の組のマーキングを生成するために面に電磁放射線を照射することと、を含む方法が提供される。
【００３４】
競技面は、本発明の第１の態様に係る競技面であり得る。方法は、本発明の第２の態様に係るシステムを使用することを含み得る。
【００３５】
方法は、紫外線（ＵＶ）光、赤外線（ＩＲ）光、レーザ光、可視光などを含み得る電磁放射線に面を露出させることを含み得る。
【００３６】
方法は、活動、ゲームまたはスポーツに適した寸法、形状、および／または場所などの特性に対応するパターンに従って、面上に電磁放射線を生成、投影および／または照射することを含み得る。したがって、方法は、第１の組のマーキングを生成するために、使用中にマーキングが見えることが意図されている面の領域を、第１の露光波長で露光し、放射線を当て、または照射することを含み得る。
【００３７】
方法は、第１の組のマーキングを「拭く」ため、および／または第１の組のマーキングを、例えば周囲のまたは隣接する領域に対して見えないようにするために、面、例えば第１の組のマーキングを含む領域上に、例えば第１の露光波長で電磁放射線を生成、投射および／または照射することを含み得る。
【００３８】
方法は、例えば第２の活動、ゲームまたはスポーツに適した寸法、形状、および／または場所などの特徴に従って、および／または応じて第２の組のマーキングを生成するために、使用中にマーキングが見えるように意図されている面の領域を、第２の露光波長で露光し、放射線を当て、または照射することを含み得る。
【００３９】
本発明の第１の態様または第２の態様に関して上述した数々の特徴は、本発明の第３の態様による方法にも等しく適用され得、したがって、それらは単に簡潔さの理由により繰り返さない。
【００４０】
より一般的には、本発明の任意の態様に関して上述した数々の特徴は、本発明の任意の態様にも等しく適用され得、したがって、それらは単に簡潔さの理由により繰り返さない。
【図面の簡単な説明】
【００４１】
【図１】本発明の一実施形態に係る競技面およびシステムを示す。
【図２】図１のシステムによって生成されたコートマーキングを示す図である。
【図３】図１のシステムによって生成された別のコートマーキングを示す図である。
【発明を実施するための形態】
【００４２】
図１は、本発明の第１の実施形態に係るシステム１０を示す。システム１０は、プロジェクタ１２と燐光材料を含む競技面３０とを含む。プロジェクタ１２は、第１の波長の光２０で面３０を照明することができる光源１４を備えている。
【００４３】
光源１４は、所望のパターンを生成するためにコンピュータによって制御され得るレーザであり得る。
【００４４】
しかしながら、本実施形態では、光源１４は、所望のパターンに従って面３０に放射線を当てまたは露光するために光学フィルタ１６およびレンズ１８を有する。図１の図は概略的なものであり、プロジェクタの既知の要素および本実施形態の他の要素は詳細には示されていないことを理解されたい。例えば、プロジェクタ１２は、ここには示されていない複雑な電子機器を含む。一実施形態では、プロジェクタ１２はデジタルプロジェクタである。
【００４５】
プロジェクタ１２は、光源１４によって放射された光２０が光学フィルタ１６を通るとともに、レンズ１８を通って競技面３０上に投射されるように、競技面３０の上方に配置される。レンズ１８は、競技面３０上に光２０を集束させる。
【００４６】
本実施形態では、光学フィルタ１６は、選択されたゲームのラインマーキングに対応するステンシルを保持するステンシルホルダであり得る。例えば、図２はバスケットボールのコートマーキングを示し、そのような配置の場合、ステンシルホルダは図２に示すラインマーキングを有するステンシルを陰画で保持するであろう。したがって、このようなステンシルをステンシルホルダ１６に挿入して光源１４をオンにすると、プロジェクタ１２は、選択されたパターンに従って光２０に曝された後に観察者および／またはプレーヤにマーキング２６を見えるようにするべく、競技面の燐光材料を活性化するために、図２のコートマーキング２６に対応する光２０を競技面３０に投射する。同様に、選択されたゲームがバレーボールである場合、陰画の形態ではあるが図３に示されているコートマーキング２８に対応するステンシルをステンシルホルダ１６に挿入して、プロジェクタ１２に図３に示すコートマーキング２８に対応する光２０を競技面３０上に投射させることができる。
【００４７】
したがって、ステンシルホルダ１６内のステンシルを交換するだけで、選択された活動を容易に変更することができる。したがって、本発明の実施形態は、線またはマーキングを変更するための迅速で費用対効果の高い方法を提供しながら、競技面上の複数の線の混乱を回避する。
【００４８】
所望のパターンに従って面３０上に光を表示することを可能にする限り、機械的なものであれデジタル的なものであれ、任意の種類の光学フィルタが想定され得ることが理解され得る。加えて、例えば第１の組のマーキングを見えなくするために、面３０全体を照射する場合、プロジェクタは、面３０全体に光、例えば第１の波長の光を照射することができる。
【００４９】
本システムの利点は、所定の時間、好ましくは活動が中断することなく起こるのを可能にするのに十分な時間の間マーキングが見えるように、面が活動のために使用される前に各組のマーキングが活性化されるため、使用中に光（例えば、プロジェクタによって生成された光）と競技者の身体、付属品または機器との間のいかなる相互作用の危険もないことである。
【００５０】
複数の光源が使用され得ることを理解されたい。特に、光源は、ＵＶ、ＩＲおよび／またはレーザを含み得る。
【００５１】
本発明の実施形態は、周辺光のレベルが低く、したがって必要な投影電力も低い屋内環境に特に適している。しかしながら、さらなる実施形態は、特に夜間のような低照度環境における屋外環境に適している場合もあり得る。高出力のプロジェクタを含む本発明のさらなる実施形態は、日中の使用にも適している。
【００５２】
ユーザは、逆の（「陰画の」）パターンの光源を使用して、競技面全体が単色になるまで活性化されていない面を活性化することにより、自然な減衰時間より前に線を「削除」するように、活性化された面を反転することができる。光源の出力強度は、このようにして、異なる色かつそれぞれの事前設定レベルで競技面を活性化するために、制御することができる。したがって、競技場は日中に複数回使用することができる。
【００５３】
図１に示す実施形態では、プロジェクタは競技面の上方に配置されている。しかしながら、さらなる実施形態では、プロジェクタは、ガラスから作られ得る競技面の下などの他の場所に配置され得る。さらに、プロジェクタは競技面の真上に配置される必要はなく、光学フィルタ１６または投影光源の適切な配置を通して幾何学的形状における任意の歪みを考慮することができる。
【図１】
2020513271.tif 000003
【図２】
2020513271.tif 000004
【図３】
2020513271.tif 000005
【手続補正書】
【提出日】平成30年10月5日(2018.10.5)
【手続補正１】
【補正対象書類名】特許請求の範囲
【補正対象項目名】全文
【補正方法】変更
【補正の内容】
【特許請求の範囲】
【請求項１】
競技面であって、
前記競技面は、
第１の露光波長でエネルギーを吸収し、照射後に第１の発光波長で発光することができる第１の燐光材料と、
第２の露光波長でエネルギーを吸収し、照射後に第２の発光波長で発光することができる第２の燐光材料と、を含み、
前記第１の露光波長と前記第２の露光波長とは異なっている、
競技面。
【請求項２】
前記材料は、所定の波長の放射線を吸収することができ、かつ前記放射線に曝された後に遅延して可視光を放射することができる、
請求項１に記載の競技面。
【請求項３】
前記燐光材料は前記面材料内に設けられている、
請求項１または２に記載の競技面。
【請求項４】
前記面を前記放射線に曝すことにより、前記面は、活動、ゲームまたはスポーツで使用するためのマーキングに対応するマーキングを示す、
請求項１〜３のいずれか一項に記載の競技面。
【請求項５】
前記競技面は複数の燐光材料を含む、
請求項１〜４のいずれか一項に記載の競技面。
【請求項６】
前記第１の発光波長と前記第２の発光波長とが異なる、
請求項１〜５のいずれか一項に記載の競技面。
【請求項７】
競技面上にマーキングを生成するためのシステムであって、
少なくとも二つの燐光材料を含む競技面と、
前記競技面上に第１の組のマーキングを生成するために、使用中にマーキングが見えることが意図されている前記面の領域を、第１の露光波長で露光し、放射線を当て、または照射するための表示装置と、
を備え、
前記表示装置は、
前記第１の組のマーキングを見えなくするために、前記面上に第１の露光波長で電子放射線を生成、投影および／または照射するように構成され、
第２の活動、ゲームまたはスポーツの特徴に応じるようにおよび／またはそれに対応するように、第２の組のマーキングを生成するために、使用中にマーキングが見えることが意図されている前記競技面の領域を、第２の露光波長で露光し、放射線を当て、または照射するように構成されている、
システム。
【請求項８】
前記表示装置は、第１の活動、ゲームまたはスポーツの特性に対応するパターンに従って、前記競技面上に前記電磁放射線を生成、投影および／または照射するように構成されている、
請求項７に記載のシステム。
【請求項９】
競技面上にマーキングを生成するための方法であって、
少なくとも二つの燐光材料を含む競技面を準備することと、
前記面上に第１の組のマーキングを生成するために、使用中にマーキングが見えることを意図している前記面の領域を、第１の露光波長で露光し、放射線を当て、または照射することと、
第１の組のマーキングを見えなくするために、前記面上に前記第１の露光波長で電子放射線を生成、投影、および／または照射することと、
第２の活動、ゲームまたはスポーツの特徴に応じるようにおよび／またはそれに対応するように第２の組のマーキングを生成するために、使用中にマーキングが見えることを意図している前記面の領域を、第２の露光波長で露光し、放射線を当て、または照射することと、
を含む方法。
【請求項１０】
前記面を紫外線（ＵＶ）光、赤外線（ＩＲ）光、レーザ光、または可視光から選択される電磁放射線に曝すことを含む、
請求項９に記載の方法。
【請求項１１】
第１の活動、ゲームまたはスポーツの特性に対応するパターンに従って前記面上に電子放射線を生成、投影および／または照射することを含む、
請求項９または請求項１０に記載の方法。
【国際調査報告】
2020513271.tif 000006
2020513271.tif 000007